【手続補正書】
【提出日】平成16年10月4日(2004.10.4)
【手続補正１】
【補正対象書類名】特許請求の範囲
【補正対象項目名】全文
【補正方法】変更
【補正の内容】
【特許請求の範囲】
【請求項１】
異方性クリスタルフィルムをドナー・プレートから転移することによりレセプタ・プレート上に異方性クリスタルフィルムを形成する方法において、
レセプタ・プレートを、少なくとも１つの異方性クリスタルフィルムを備えたドナー・プレートに接触させる段階と、
異方性クリスタルフィルムを備えたドナー・プレートの全体のうちの、転移すべき少なくとも一部および／またはレセプタ・プレートの少なくとも一部を活性化する段階とを有し、
ここで、活性化の度合いは、圧力を付与したときにフィルムを転移させるのに充分であるが、転移するクリスタルフィルムの結晶構造を破壊するには不充分な大きさであり、
活性化と同時にまたは活性化の後に、レセプタ・プレート上に転移すべきクリスタルフィルムを備えたドナー・プレートの全体のうちの少なくとも一部に圧力を付与する段階を更に有し、
ここで、圧力のレベルは、フィルムの少なくとも一部をドナー・プレートからレセプタ・プレートに転移させるのに充分であるが、転移するクリスタルフィルムの結晶構造を破壊するには不充分な大きさであることを特徴とする方法。
【請求項２】
前記活性化および付与可能な圧力の条件は、転移後の異方性クリスタルフィルムの一定透過係数および／または複屈折係数でのコントラストの変化が僅かに１０％となるように選択されることを特徴とする請求項１記載の方法。
【請求項３】
前記異方性クリスタルフィルムは、外的アライニング影響（external aligning influence）を用いてベース上に液晶を付着することにより、リオトロピック液晶相を形成する少なくとも１つの有機材料からなる液晶から得られることを特徴とする請求項１または２記載の方法。
【請求項４】
前記活性化は、ドナー・プレートの少なくとも１つの層の材料の強度を低下させ、および／またはドナー・プレートの少なくとも２つの層間の接着力を低下させ、および／またはレセプタ・プレートへの上方層の接着力を増大させることを特徴とする請求項１〜３のいずれか１項記載の方法。
【請求項５】
前記活性化は、ドナー・プレートに与える熱的、電磁的または他の影響により行われることを特徴とする請求項１〜４のいずれか１項記載の方法。
【請求項６】
前記活性化および圧力は、転移すべきクリスタルフィルムを含む、ドナー・プレート全体のうちの一部に適用されることを特徴とする請求項１〜５のいずれか１項記載の方法。
【請求項７】
前記活性化は、転移すべきクリスタルフィルムを含む、ドナー・プレート全体のうちの一部に適用され、圧力はドナー・プレート全体に適用されることを特徴とする請求項１〜５のいずれか１項記載の方法。
【請求項８】
前記活性化はドナー・プレート全体に適用され、圧力は、転移すべきクリスタルフィルムを含む、ドナー・プレート全体のうちの一部に適用されることを特徴とする請求項１〜５のいずれか１項記載の方法。
【請求項９】
前記活性化は、ドナー・プレートの製造中に、ベースをドナー・プレートに接触させる前に行われることを特徴とする請求項１〜８のいずれか１項記載の方法。
【請求項１０】
前記転移のために予め定められた異方性クリスタルフィルムの形状は、ドナー・プレートの製造中に予め形成されるか、ドナー・プレートがレセプタ・プレートに接触される前に既に完成されているドナー・プレートに形成されることを特徴とする請求項９記載の方法。
【請求項１１】
ベースおよび少なくとも１つの異方性クリスタルフィルムを有するドナー・プレートにおいて、
前記クリスタルフィルムは液晶を形成できる少なくとも１つの有機材料から形成され、液晶の分子または分子の一部は平構造を有することを特徴とするドナー・プレート。
【請求項１２】
前記異方性クリスタルフィルムの材料は芳香環を有し、かつ一光軸に沿う３．４±０．２Ａにブラッグピークを有することを特徴とする請求項１１記載のドナー・プレート。
【請求項１３】
前記有機材料は少なくとも１つの有機染料からなり、該有機染料の構造式は少なくとも１つのイオノゲン群を有することを特徴とする請求項１１または１２記載のドナー・プレート。
【請求項１４】
前記有機染料は下記配合の少なくとも１つの有機染料を有し、
前記配合は｛Ｋ｝（Ｍ）nであり、ここでＫは染料、該染料の化学式は同一または異なる単一または複数のイオノゲン群を含有し、該イオノゲン群は極性溶剤中で溶解して液晶相を形成し、Ｍはアンチイオン、ｎは染料分子中のアンチイオン数で、単一アンチイオンが幾つかの分子に属するときは分数、およびｎ＞１であるときはアンチイオンは異なるものであることを特徴とする請求項１３記載のドナー・プレート。
【請求項１５】
前記クリスタルフィルムは、偏光子フィルム、リターダフィルム、保護フィルム、またはこれらのフィルムのうちの少なくとも２つの任意の組合せとして同時に機能するフィルムからなる群の１つとして機能することを特徴とする請求項１１記載のドナー・プレート。
【請求項１６】
前記異方性クリスタルフィルムは少なくとも２つの部分からなり、これらの部分の光軸は互いに０〜９０°の角度で回転されることを特徴とする請求項１１〜１５のいずれか１項記載のドナー・プレート。
【請求項１７】
他の全ての層の頂面には接着剤層が付着されていることを特徴とする請求項１１〜１６のいずれか１項記載のドナー・プレート。
【請求項１８】
前記ベースおよび／または接着剤層および／または異方性クリスタルフィルムの材料の含有物に吸光剤が添加されていることを特徴とする請求項１１〜１７のいずれか１項記載のドナー・プレート。
【請求項１９】
前記吸光剤が、接着剤増粘を形成する材料の含有物に添加されていることを特徴とする請求項１１〜１８のいずれか１項記載のドナー・プレート。
【請求項２０】
前記ベースは、ポリマー材料、ガラス、半導体材料または金属で作られていることを特徴とする請求項１１〜１９のいずれか１項記載のドナー・プレート。
【請求項２１】
前記ベースは、平坦、凸状または凹状の表面形状を有していることを特徴とする請求項１１〜２０のいずれか１項記載のドナー・プレート。
【請求項２２】
前記異方性クリスタルフィルムの含有物には、別々の領域の転移を促進する少なくとも１つの改質添加剤が含まれていることを特徴とする請求項１１〜２１のいずれか１項記載のドナー・プレート。
【請求項２３】
前記改質添加剤は、０．１重量％より少量でクリスタルフィルムの材料に添加されるグリセリンであることを特徴とする請求項２２記載のドナー・プレート。
【請求項２４】
前記異方性クリスタルフィルムは、その後の転移に必要な少なくとも１つのイメージ領域の形態で適用されることを特徴とする請求項１１〜２３のいずれか１項記載のドナー・プレート。
【請求項２５】
前記ベースの表面は改質を受けて疎水性になっており、
このベースの頂面には疎水性表面を備えた光学的に透明な材料からなるサブレーヤが付着され、
該サブレーヤ上には、後で転移する必要がある少なくとも１つのイメージ領域の形態で、異方性クリスタルフィルムが付着され、異方性クリスタルフィルムの頂面には少なくとも１つの接着剤層が設けられていることを特徴とする請求項１２記載のドナー・プレート。
【請求項２６】
前記異方性クリスタルフィルムの少なくとも一部が、色だけ異なる領域の形態で付着されていることを特徴とする請求項１１記載のドナー・プレート。
【請求項２７】
前記異方性クリスタルフィルムが、原子価２または３の金属のイオンで処理され、非水溶性の相に変換されていることを特徴とする請求項１１記載のドナー・プレート。
【請求項２８】
前記ドナー・プレートは請求項１１〜２７のいずれか１項に記載のドナー・プレートであることを特徴とする請求項１〜３のいずれか１項記載の方法。